(57)【要約】 【課題】   本考案は従来の地上納骨型墓石に於いて高位置に設置されていた墓石付属品を低位置に設置し墓参が容易に出来るようにする墓石構造を提供する。【解決手段】    本考案は地上納骨型墓石の納骨室部の前に付属品配置用の棚石を設置し従来天板石の上より配置されていた付属品類を棚板の上から配置することによって配置高の低位置化を実現することを特徴としている。【選択図】図１
0003139804.tif 000002
【実用新案登録請求の範囲】
【請求項１】
地上納骨式納骨堂を備えた墓石に於いて、納骨堂部分の前部に支えとなる複数本の支柱を設け、その上部に棚状の台石を差し渡して設置し、花立て、香炉等の墓石付属部品を配置する墓石構造。
【請求項２】
地上納骨式納骨堂を備えた墓石に於いて、納骨堂部分の前部に支えとなる壁石を設け、その上部に棚状の台石を差し渡して設置し、花立て、香炉等の墓石付属部品を配置する墓石構造。
【請求項３】
請求項１，２に記述の台石に於いて、その形状を直方体にした墓石構造。
【請求項４】
請求項１，２に記述の台石に於いて、その形状に曲面形状を持たせた墓石構造。
【請求項５】
請求項１，２に記述の台石に於いて、その上面前方に溝状の窪みを設け墓参時に行った掛水が墓参者に方に流れるのを防ぎ墓石左右に排水するようにした墓石構造。
【請求項６】
請求項１，２に記述の台石に於いて、その上面前方に縁状の凸部を横方向に設け墓参時に行った掛水が墓参者に方に流れるのを防ぎ墓石左右に排水するようにした墓石構造。
【考案の詳細な説明】
【技術分野】
【０００１】
本考案は、納骨堂付墓石に於いて墓石付属品設置用の台を設けた墓石構造に関するものである。
【背景技術】
【０００２】
従来の納骨堂付墓石は全体の下半分程度納骨室で、その上部に墓石と花立て、香炉等付属品が設置されていた。
【考案の開示】
【考案が解決しようとする課題】
【０００３】
納骨堂付墓石とは図3のように石材を箱形に組み合わせ前後面または左右一面に開口部を設け、扉を設置しその内部に納骨が出来るようにした納骨堂部分があり、納骨堂上部に墓石部分が配置されその前部に花立て、水鉢、香炉、供物台等の付属品が階段状に次第に高い位置に置かれる構造の墓石をいう。この従来の納骨堂付墓石は、墓参時に手が届かなければならない花立て、水鉢、香炉、供物台が納骨堂部分の上部に、階段状に奥に向かって高く配置されているため、身長の低い小児や老人、車いすの方などは手が届かず独力での墓参が難しかった、この本題を解決するために従来は図８のような階段や登り段を設け墓参者が墓石の高さまで上り墓参していた、しかしこの方法では墓地のスペースの問題などで狭く急な階段になりがちだった。どの地域でもそうだがお墓にお参りされるのは比較的高齢の方が多いその中には足腰に自信のない方もかなりの比率になると思われる、そういう方にとってはこの階段は墓参の際にかなりの障害になる、実際に転倒転落の事故も耳にする。本考案はこの構造的欠点を解決しようとする物である。
【課題を解決するための手段】
【０００４】
本考案は発想を転換し人が墓石の高さに上がるのではなく手が届く必要のある物をより低い位置に配置しようとする物である。すなわち花立て、水鉢、香炉、供物台等を設置するための台石を納骨部分前部に設置し、従来方式の場合より低い位置にそれらを配置出来るようにし問題点を解決している。
【考案の効果】
【０００５】
上述の様に別に台を設置することにより本来手の届きにくい場所にある物が低い位置に設置でき、身長の低い小児や老人、車いすの方でも独力での墓参が可能になり、バリアフリー化に対応できる。またこの方式を採用することにより墓石デザインの幅が広がり多種多様なデザイン的ニーズにも対応できるようになる。
【考案を実施するための最良の形態】
【０００６】
地上納骨堂墓石の基本的な構造は、まず扉等の開閉部のついた箱状の納骨部分が有りその上部に墓石本体、墓石本体の前から墓石の階段構造に沿って、花立て、水皿、香炉、供物台などが配置されているが、それら付属部品を従来の位置に置かず、納骨部分の前部低い位置に、棚状の台を設置し、その上より配置する。以下、添付図面に従って実施例を説明する。基部となる石組１０の上に扉等の開閉部のついた箱状の納骨部分の石組４をのせ、納骨部分の上蓋となる天板５をその上にのせる、石組４の前に１，２を支えとして棚石３を置く、天板５の中心位置から墓石本体６，７，８を配置し、棚石４の上より墓石付属品類９群を配置する。１，２，３，は本考案の重要部分であるが１，２の配置位置や形状、３の形状や設置高は墓石の全体的なデザインに合わせ変更は可能である。尚、図では本考案には直接関係のない石組１０，４と、４の開閉部となる扉などは図が複雑になるため省略する。また従来の方式との違いを明確にするため図３を添付する。
【実施例】
【０００７】
本考案は請求項の項目にもあげたがいろいろなデザインや水流の誘導機能を持たせる設計の応用が考えられる、以下に請求項に添った例を挙げる。
【０００８】
請求項3は図４のように直線的なデザインで構成された本考案。
【０００９】
請求項５は図２のように曲面を取り入れたデザインで構成された本考案。
【００１０】
請求項6は図５、断面図６のように本考案の棚状台石上部前方に溝状の加工１１を施し墓参の際にこぼれた水が墓参者の足下に流れてこないようにした本考案。
【００１１】
請求項6は図２、断面図７のように本考案の棚状台石上部前方に縁状の加工１２を施し墓参の際にこぼれた水が墓参者の足下に流れてこないようにした本考案。
【図面の簡単な説明】
【００１２】
【図１】本考案の実施例を示す斜視図
【図２】本考案の主要部分のみの斜視図
【図３】比較用の従来方式斜視図
【図４】請求項３の実施例を示す斜視図
【図５】請求項５の実施例を示す斜視図
【図６】請求項５の実施例を示す断面図
【図７】請求項６の実施例を示す断面図
【図８】比較用の従来方式の階段式の斜視図
【符号の説明】
【００１３】
１，支え壁石
２，支柱石
３，棚石
４，納骨部石組
５，天板石
６，墓石下台
７，墓石上台
８，墓石石塔
９，墓石付属品類
１０，基部石組
１１，溝加工
１２，縁加工
【図１】
0003139804.tif 000003
【図２】
0003139804.tif 000004
【図３】
0003139804.tif 000005
【図４】
0003139804.tif 000006
【図５】
0003139804.tif 000007
【図６】
0003139804.tif 000008
【図７】
0003139804.tif 000009
【図８】
0003139804.tif 000010
【手続補正書】
【提出日】平成19年8月31日(2007.8.31)
【手続補正１】
【補正対象書類名】実用新案登録請求の範囲
【補正対象項目名】請求項３
【補正方法】変更
【補正の内容】
【請求項３】
請求項１または２に記載の台石に於いて、その形状を直方体にした墓石構造。
【手続補正２】
【補正対象書類名】実用新案登録請求の範囲
【補正対象項目名】請求項４
【補正方法】変更
【補正の内容】
【請求項４】
請求項１または２に記載の台石に於いて、その形状に曲面形状を持たせた墓石構造。
【手続補正３】
【補正対象書類名】実用新案登録請求の範囲
【補正対象項目名】請求項５
【補正方法】変更
【補正の内容】
【請求項５】
請求項１または２に記載の台石に於いて、その上面前方に溝状の窪みを設け墓参に行った掛水が墓参者に方に流れるのを防ぎ墓石左右に排水するようにした墓石構造。
【手続補正４】
【補正対象書類名】実用新案登録請求の範囲
【補正対象項目名】請求項６
【補正方法】変更
【補正の内容】
【請求項６】
請求項１または２に記載の台石に於いて、その上面前方に縁状の凸部を横方向に設け墓参時に行った掛水が墓参者に方に流れるのを防ぎ墓石左右に排水するようにした墓石構造。
【手続補正書】
【提出日】平成19年10月10日(2007.10.10)
【手続補正１】
【補正対象書類名】実用新案登録請求の範囲
【補正対象項目名】請求項３
【補正方法】変更
【補正の内容】
【請求項３】
前記台石の形状を直方体にしたことを特徴とする請求項１に記載の墓石構造。
【手続補正２】
【補正対象書類名】実用新案登録請求の範囲
【補正対象項目名】請求項４
【補正方法】変更
【補正の内容】
【請求項４】
前記台石の形状に曲面形状を持たせたことを特徴とする請求項１に記載の墓石構造。
【手続補正３】
【補正対象書類名】実用新案登録請求の範囲
【補正対象項目名】請求項５
【補正方法】変更
【補正の内容】
【請求項５】
前記台石の上面前方に溝状の窪みを設け墓参時に行った掛水が墓参者に方に流れるのを防ぎ墓石左右に排水するようにしたことを特徴とする請求項１に記載の墓石構造。
【手続補正４】
【補正対象書類名】実用新案登録請求の範囲
【補正対象項目名】請求項６
【補正方法】変更
【補正の内容】
【請求項６】
前記台石の上面前方に縁状の凸部を横方向に設け墓参時に行った掛水が墓参者に方に流れるのを防ぎ墓石左右に排水するようにしたことを特徴とする請求項１に記載の墓石構造